(57)【要約】【課題】防振架台のガタツキによる振動や騒音の発生を抑制しながら、サイズの異なる搭載物を防振架台に強固に固定する。【解決手段】上架台３０に固定される固定梁３４と、上架台３０の対向する一対の上部サイドフレーム３１に対してスライド移動可能に取り付けられる可動梁３５とを設ける。この可動梁３５に、搭載物を固定可能な可動側長孔３５ａと、上部サイドフレーム３１の底面に当接可能な一対の上架台受部３６とを設ける。上架台受部３６には、上部サイドフレーム３１の天面の少なくとも一部を覆うと共に、上部サイドフレーム３１の水平方向外側面に当接して任意の位置に締付固定される連結部材３７を取り付ける。【選択図】図１Ｈ
2019039500.tif 000002
【特許請求の範囲】
【請求項１】
設置面に固定可能な下架台と、
上記下架台に対して複数の防振部材を介して取付固定される略矩形枠状の上架台とを備えた防振架台であって、
上記上架台に固定される固定梁と、
上記上架台の対向する一対の上部サイドフレームに対してスライド移動可能に取り付けられる可動梁とを備え、
上記可動梁は、
搭載物を固定可能な被固定部と、
上記一対の上部サイドフレームの底面にそれぞれ当接可能な一対の上架台受部とを備え、
上記上架台受部には、上記上部サイドフレームの天面の少なくとも一部を覆うと共に、該上部サイドフレームの水平方向外側面に当接して任意の位置に締付固定される連結部材が取り付けられるように構成されている
ことを特徴とする防振架台。
【請求項２】
請求項１に記載の防振架台において、
上記連結部材は、
上記上架台受部に設けた被係合部に係合可能な係合部と、
上記係合部に対して水平方向の対向する位置に設けられ、上記上部サイドフレームの水平方向外側面に当接する嵌合部と、
上記上架台受部に設けた被締結部に締め付けられる梁締結ボルトを挿通するボルト挿通孔とを備えている
ことを特徴とする防振架台。
【請求項３】
請求項２に記載の防振架台において、
上記係合部の先端と上記嵌合部の先端との間の距離は、上記上部サイドフレームの水平方向両側面間の距離に対して寸法公差以上大きくなるように設定されている
ことを特徴とする防振架台。
【請求項４】
請求項１から３のいずれか１つに記載の防振架台において、
上記上架台受部の底面には、上記複数の防振部材の少なくとも１つを固定可能に構成されており、該防振部材は、上記可動梁と共にスライド移動可能に構成されている
ことを特徴とする防振架台。
【請求項５】
請求項１から４のいずれか１つに記載の防振架台において、
上記下架台には、ドレンパンが任意の角度に取付固定可能に構成されている
ことを特徴とする防振架台。
【発明の詳細な説明】
【技術分野】
【０００１】
本発明は、例えばポンプなどの搭載物を搭載可能な防振架台に関する。
【背景技術】
【０００２】
従来より、ポンプ等の搭載物が搭載される防振架台は知られている。この防振架台は、ポンプ、電動モータ等が搭載される、多種多様なポンプベースの形状に対応する必要がある。
【０００３】
そこで、例えば、特許文献１のように、コンクリート製の防振架台のスライド孔内で機器取付ブロックをスライド移動可能に設けるものが知られている。
【０００４】
また、特許文献２のような防振架台の上架台上面を覆い、中央部裏面に固設された断面コ字状の導水ダクトの両端が短辺側台枠と一体的に固定されたベース取付板と、導水ダクト上のポンプ取付側に開口する集水長孔と、この集水長孔を挟んで対称的に貫設された少なくとも１組の斜めボルト孔と、取付板のモータ取付側の両側に設けられた一対の切欠と、少なくとも１組の斜めボルト孔を有し、切欠内において導水ダクトの長手方向にスライドする位置調整板とを備える防振架台が知られている。この防振架台では、多種多様なポンプベースに対応できるようにしている。
【先行技術文献】
【特許文献】
【０００５】
【特許文献１】実公昭６３−４８８６５号公報
【特許文献２】実用新案登録第３１１４１３５号公報
【発明の概要】
【発明が解決しようとする課題】
【０００６】
しかしながら、上記特許文献１のようなコンクリートを用いた防振架台は、質量が非常に重くて運搬が困難であり、現地にてコンクリート施工も必要となって工数がかかるという問題がある。
【０００７】
また、特許文献２のものでは、位置調整板が上架台の側面にボルトで締結されているのみであるため、ガタツキによる振動が生じやすく、また、地震などで搭載物が浮き上がろうとした場合の強度が不足するおそれがある。
【０００８】
本発明は、かかる点に鑑みてなされたものであり、その目的とするところは、防振架台のガタツキによる振動や騒音の発生を抑制しながら、サイズの異なる搭載物を防振架台に強固に固定することにある。
【課題を解決するための手段】
【０００９】
上記の目的を達成するために、この発明では、可動梁を少なくとも上部サイドフレームの底面に当接可能な状態で可動範囲の任意の位置に固定可能に構成した。
【００１０】
具体的には、第１の発明では、
設置面に固定可能な下架台と、
上記下架台に対して複数の防振部材を介して取付固定される略矩形枠状の上架台とを備えた防振架台を対象とし、
上記上架台に固定される固定梁と、
上記上架台の対向する一対の上部サイドフレームに対してスライド移動可能に取り付けられる可動梁とを備え、
上記可動梁は、
搭載物を固定可能な被固定部と、
上記一対の上部サイドフレームの底面にそれぞれ当接可能な一対の上架台受部とを備え、
上記上架台受部には、上記上部サイドフレームの天面の少なくとも一部を覆うと共に、該上部サイドフレームの水平方向外側面に当接して任意の位置に締付固定される連結部材が取り付けられるように構成されている。
【００１１】
上記の構成によると、可動梁を適切な位置に移動させて連結部材によって固定した状態で、搭載物を固定梁と可動梁とに固定できる。そして、連結部材と上架台受部とで上部サイドフレームが上下方向に挟持された状態で可動梁が固定されるので、搭載物ががたつかず、また、地震などの大きな荷重で搭載物が浮き上がろうとした場合でもその浮き上がりが防止される。また、搭載物を可動梁に搭載して被固定部に固定するときに可動梁が下に凸に湾曲した場合でも、上架台受部が上部サイドフレームの底面に密着して変形しない。
【００１２】
第２の発明では、第１の発明において、
上記連結部材は、
上記上架台受部に設けた被係合部に係合可能な係合部と、
上記係合部に対して水平方向の対向する位置に設けられ、上記上部サイドフレームの水平方向外側面に当接する嵌合部と、
上記上架台受部に設けた被締結部に締め付けられる梁締結ボルトを挿通するボルト挿通孔とを備えている。
【００１３】
上記の構成によると、連結部材が簡単な構成で組み付けしやすいものになる。
【００１４】
第３の発明では、第２の発明において、
上記係合部の先端と上記嵌合部の先端との間の距離は、上記上部サイドフレームの水平方向両側面間の距離に対して寸法公差以上大きくなるように設定されている。
【００１５】
上記の構成によると、例えば上架台が溶接構造で、且つ表面処理された場合に、熱変形による隙間発生等により上部サイドフレームに寸法誤差が生じやすいが、連結部材の寸法に余裕を持たせているので、組付が容易である。
【００１６】
第４の発明では、第１から第３のいずれか１つの発明において、
上記上架台受部の底面には、上記複数の防振部材の少なくとも１つを固定可能に構成されており、該防振部材は、上記可動梁と共にスライド移動可能に構成されている。
【００１７】
上記の構成によると、可動梁をどの位置に移動させても常に防振部材で下から支えられるので、可動梁に伝わる搭載物の振動が効果的に抑制される。
【００１８】
第５の発明では、第１から第４のいずれか１つの発明において、
上記下部架台には、ドレンパンが任意の角度に取付固定可能に構成されている。
【００１９】
上記の構成によると、上架台ではなく下架台にドレンパンを取り付けるようにしているので、可動梁の位置にかかわらずドレンパンを任意の排水勾配となるように取り付けて固定することができる。
【発明の効果】
【００２０】
以上説明したように、本発明によれば、可動梁が少なくとも上架台の上部サイドフレームの底面に当接した状態で可動範囲の任意の位置に連結部材により固定される構造としたため、ガタツキによる振動や騒音の発生を抑制しながら、サイズの異なる搭載物を強固に防振架台に固定できる。
【図面の簡単な説明】
【００２１】
【図１Ａ】本発明の実施形態に係る防振架台を示す平面図である。
【図１Ｂ】本発明の実施形態に係る防振架台を示す底面図である。
【図１Ｃ】本発明の実施形態に係る防振架台を示す正面図である。
【図１Ｄ】本発明の実施形態に係る防振架台を示す背面図である。
【図１Ｅ】本発明の実施形態に係る防振架台を示す右側面図である。
【図１Ｆ】本発明の実施形態に係る防振架台を示す左側面図である。
【図１Ｇ】図１ＡのIG−IG線断面図である。
【図１Ｈ】本発明の実施形態に係る防振架台を示す斜視図である。
【図２Ａ】本発明の実施形態に係る防振架台にポンプ及び電動モータが搭載された様子を示す正面図である。
【図２Ｂ】本発明の実施形態に係る防振架台にポンプ及び電動モータが搭載された様子を示す平面図である。
【図３】上架台受部及びその周辺を拡大して示す斜視図である。
【図４】連結部材を拡大して示す斜視図である。
【発明を実施するための形態】
【００２２】
以下、本発明の実施形態を図面に基づいて説明する。
【００２３】
図２Ａ及び図２Ｂは、本発明の実施形態に係る防振架台１０にポンプ１等を搭載させた状態を示す。例えば、防振架台１０に対し、ポンプ１、電動モータ２、減速機３等が取付固定されたポンプベース４が固定される。
【００２４】
図１Ａ〜図１Ｇに示すように、防振架台１０は、建物の床などの設置面Ｇ（図２Ａに示す）に固定可能な略矩形枠状の下架台２０と、この下架台２０に対して複数の防振部材４０を介して取付固定される上架台３０とを備えている。下架台２０及び上架台３０は、例えば全体に溶融亜鉛メッキが施されている。
【００２５】
具体的には、下架台２０は、図１Ｂに示すように、長手方向に延びる一対の下部サイドフレーム２１と幅方向に延びる一対の下部クロスフレーム２２とが下部コーナー部材２３を介して溶接等により連結されている。下部コーナー部材２３には、固定ボルト４１が上下方向に挿通される下部ボルト挿通孔２３ａが形成されている。
【００２６】
一方、図１Ａに示すように、上架台３０は、長手方向に延びる一対の上部サイドフレーム３１を有する。上部サイドフレーム３１は、例えば角パイプよりなる。一対の上部サイドフレーム３１に直交する幅方向には、同様に角パイプよりなる上部クロスフレーム３２が上部コーナー部材３３を介して溶着されている。４つの上部コーナー部材３３は、それぞれ上下に挿通される固定ボルト４１を挿通する上部ボルト挿通孔３３ａを有する。なお、図１Ｈ等に示すように、上部コーナー部材３３には、溶融亜鉛メッキの工程で必要な貫通孔３３ｂが複数設けられている。一対の上部サイドフレーム３１と一方の上部クロスフレーム３２とには、矩形板状の固定梁３４が溶着されている。固定梁３４は、上架台３０の幅方向に延びる、例えば４つの固定側長孔３４ａが開口されている。なお、本実施形態にように、固定側長孔３４ａの近傍に補強バー３４ｂが溶着されていてもよい。そして、上架台３０の他方の上部クロスフレーム３２側には、可動梁３５が一対の上部サイドフレーム３１に対し、上架台３０の長手方向にスライド移動可能に取り付けられている。
【００２７】
可動梁３５は、搭載物を固定可能な被固定部としての可動側長孔３５ａが可動梁３５の長手方向に延びるように設けられている。図３に拡大して示すように、可動梁３５は、上部サイドフレーム３１の底面に当接可能な一対の上架台受部３６を備えている。すなわち、可動梁３５は、例えば、所定長さに切断された溝形鋼に、鋼板をプレス成形した上架台受部３６が溶着されている。例えば、プレス成形時に切り起こされた一対の舌状部に被締結部としての梁締結孔３６ａが形成されている。上架台受部３６には、例えば可動梁３５の幅方向に所定距離を空けて形成されたスリットで形成される一対の被係合部３６ｂが形成されている。上架台受部３６の底面には、下方に切り起こされて形成された防振部材係合突起３６ｃが設けられている。
【００２８】
この上架台受部３６には、上部サイドフレーム３１の天面の少なくとも一部を覆うと共に、上部サイドフレーム３１の水平方向外側面に当接して任意の位置に締付固定される連結部材３７が取り付けられるように構成されている。
【００２９】
図４に拡大して示すように、連結部材３７には、上架台受部３６の被係合部３６ｂに対して係合可能な一対の係合部としての係合爪３７ａが所定間隔を空けて設けられている。係合爪３７ａは、例えばその周辺を切り欠いて可動梁３５の長手方向に延びる直線状の突起よりなる。係合爪３７ａに対して可動梁３５の長手方向の対向する位置に、上部サイドフレーム３１の水平方向外側面に当接する、膨出した嵌合部３７ｂが設けられている。そして、連結部材３７には、上架台受部３６に設けた梁締結孔３６ａに締め付けられる梁締結ボルト３８を挿通するボルト挿通孔３７ｃが設けられている。このように、連結部材３７が簡単な構成で組み付けしやすいものになっている。
【００３０】
そして、図１Ｇに拡大して示すように、係合爪３７ａの先端と、嵌合部３７ｂの先端との間の距離Ｈ１は、上部サイドフレーム３１の水平方向両側面間の距離Ｈ２に対して寸法公差以上大きくなるように設定されている（Ｈ１＞Ｈ２）。
【００３１】
このように構成した上架台３０は、複数の防振部材４０を介して下架台２０に固定される。防振部材４０の構成は特に限定されないが、例えば、下部サイドフレーム２１の上面又は上部サイドフレーム３１の下面に当接する取付用フランジ４０ａを有し、円柱状の弾性部を有する。弾性部は、例えば圧縮コイルバネがインサート成形されたゴム部材よりなるが、これに限定されない。
【００３２】
上架台受部３６の底面の防振部材係合突起３６ｃには、この防振部材４０が固定可能に構成されている。しかも、この防振部材４０は、可動梁３５と共にスライド移動可能に構成されている。
【００３３】
例えば合計７つの防振部材４０を所定位置に取り付けた上で、上部ボルト挿通孔３３ａと上記下部ボルト挿通孔２３ａに固定ボルト４１を挿通して締め付けることで、防振架台１０が組み立てられるようになっている。
【００３４】
また、図１Ｄ〜図１Ｆに示すように、下架台２０には、皿状のドレンパン１１が任意の角度に取付固定可能に構成されている（その他の図面ではドレンパン１１を省略している)。ドレンパン１１の形状は特に限定されない。
【００３５】
次に、本実施形態に係る防振架台１０の作動について説明する。
【００３６】
上記のように構成した防振架台１０に対し、ポンプ１、電動モータ２、減速機３等が取付固定されたポンプベース４が固定される。必要に応じて下架台２０には、ドレンパン１１を取り付けておく。このポンプベース４は、ポンプ１の仕様等でそのポンプ固定用ボルト５，６を締結するボルト挿通孔４ａ，４ｂの位置が異なる。そこで、予めその可動側のボルト挿通孔４ｂの位置に合わせて可動梁３５の位置を移動させておく。このとき、例えば上架台３０が溶接構造で、且つ表面処理されたあった場合に、上部サイドフレーム３１に寸法誤差が生じやすいが、連結部材３７の寸法に余裕を持たせているので（Ｈ１＞Ｈ２）、組付が容易である。また、可動梁３５をどの位置に移動させても常に防振部材４０で支えられるので、可動梁３５に伝わる搭載物の振動が効率的に抑制される。しかも、連結部材３７によって可動梁３５が上部サイドフレーム３１に強固に固定される。
【００３７】
具体的には、まず梁締結ボルト３８を弛め、可動梁３５を所定位置に移動させた上で、ポンプベース４を固定梁３４と可動梁３５の上に搭載する。
【００３８】
次いで、ポンプ固定用ボルト５，６をボルト挿通孔４ａ，４ｂに挿通して締結すると共に、梁締結ボルト３８を締結する。
【００３９】
このように本実施形態では、可動梁３５を適切な位置に移動させて連結部材３７によって固定した状態で、ポンプベース４を固定梁３４と可動梁３５とに固定できる。
【００４０】
そして、連結部材３７と上架台受部３６とで上部サイドフレームが上下方向にも挟持されるようにして可動梁が固定されるので、ポンプベース４ががたつかず、また、地震などの大きな荷重でポンプベース４が浮き上がろうとした場合でもその浮き上がりが防止される。
【００４１】
また、ポンプベース４を可動梁３５に搭載して可動側長孔３５ａに固定するときに可動梁３５が下に凸に湾曲した場合でも、上架台受部３６が上部サイドフレーム３１の底面に密着して変形しない。
【００４２】
また本実施形態では、上架台３０ではなく下架台２０にドレンパン１１を取り付けるようにしているので、可動梁３５の位置にかかわらずドレンパン１１を任意の角度に取り付けて固定することができる。
【００４３】
したがって、本実施形態に係る防振架台１０によると、可動梁３５が少なくとも上架台３０の上部サイドフレーム３１の底面に当接した状態で可動範囲の任意の位置に連結部材３７により固定される構造としたため、ガタツキによる振動や騒音の発生を抑制しながら、サイズの異なるポンプ１等の搭載物を強固に防振架台１０に固定できる。
【００４４】
（その他の実施形態）
本発明は、上記実施形態について、以下のような構成としてもよい。
【００４５】
すなわち、上記実施形態では、係合部を係合爪３７ａとし、被係合部３６ｂをスリットで形成したが、これに限定されない。例えば、係合部をカシメボルトや溶接ボルトのような突起を有するもので形成してもよい。また、連結部材の３７ａの部位に被係合部が、上架台受部３６ｂの部位に係合部が設けられてもよい（すなわち、係合の雄雌が逆でもよい）。
【００４６】
また、上記実施形態では、搭載物は、ポンプ１、電動モータ２、減速機３等が取付固定されたポンプベース４としているが、それ以外の搭載物としては、例えば、空調機器や送風機などが挙げられる。
【００４７】
なお、以上の実施形態は、本質的に好ましい例示であって、本発明、その適用物や用途の範囲を制限することを意図するものではない。
【符号の説明】
【００４８】
１      ポンプ
２      電動モータ
３      減速機
４      ポンプベース（搭載物）
４ａ，４ｂ    ボルト挿通孔
５，６  ポンプ固定用ボルト
１０      防振架台
１１      ドレンパン
２０      下架台
２１      下部サイドフレーム
２２      下部クロスフレーム
２３      下部コーナー部材
２３ａ    下部ボルト挿通孔
３０      上架台
３１      上部サイドフレーム
３２      上部クロスフレーム
３３      上部コーナー部材
３３ａ    上部ボルト挿通孔
３３ｂ    貫通孔
３４      固定梁
３４ａ    固定側長孔
３５      可動梁
３５ａ    可動側長孔（被固定部）
３６      上架台受部
３６ａ    梁締結孔（被締結部）
３６ｂ    被係合部
３６ｃ    防振部材係合突起
３７      連結部材
３７ａ    係合爪（係合部）
３７ｂ    嵌合部
３７ｃ    ボルト挿通孔
３８      梁締結ボルト
４０      防振部材
４０ａ    フランジ
４１      固定ボルト
【図１Ａ】
2019039500.tif 000003
【図１Ｂ】
2019039500.tif 000004
【図１Ｃ】
2019039500.tif 000005
【図１Ｄ】
2019039500.tif 000006
【図１Ｅ】
2019039500.tif 000007
【図１Ｆ】
2019039500.tif 000008
【図１Ｇ】
2019039500.tif 000009
【図１Ｈ】
2019039500.tif 000010
【図２Ａ】
2019039500.tif 000011
【図２Ｂ】
2019039500.tif 000012
【図３】
2019039500.tif 000013
【図４】
2019039500.tif 000014